(57)【要約】【課題】演奏者の連続的な動きに対応する音高の楽音が発音される電子楽器を用いた演奏をより容易にすること。【解決手段】操作に応答して連続量を出力する検出装置と、その操作と異なる他の操作に応答して状態が変化する音階切替スイッチと、制御装置とを備えている。制御装置は、音階切替スイッチが第１状態であるときに第１複数音階のうちのその連続量に基づいて選択された第１音高３１の楽音をスピーカから出力し、音階切替スイッチがその第１状態と異なる第２状態であるときにその第１複数音階と異なる第２複数音階のうちのその連続量に基づいて選択された第２音高３４の楽音をスピーカから出力する。【選択図】図６
2010019920.tif 000002
【特許請求の範囲】
【請求項１】
操作に応答して連続量を出力する検出装置と、
前記操作と異なる他の操作に応答して状態が変化する音階切替スイッチと、
前記音階切替スイッチが第１状態であるときに第１複数音階のうちの前記連続量に基づいて選択された第１音高の楽音を出力し、前記音階切替スイッチが前記第１状態と異なる第２状態であるときに前記第１複数音階と異なる第２複数音階のうちの前記連続量に基づいて選択された第２音高の楽音を出力する制御装置
とを具備する電子楽器。
【請求項２】
請求項１において、
前記第２複数音階は、
前記第１複数音階を構成する複数の音高と、
前記複数の音階のうちの隣接する２つの音階の間の１つの音高とから形成される
電子楽器。
【請求項３】
請求項２において、
前記第１音高と前記第２音高とを表示する表示装置
を更に具備する電子楽器。
【請求項４】
請求項２において、
前記第１複数音階は、全音階から形成され、
前記第２複数音階は、半音階から形成される
電子楽器。
【請求項５】
請求項２において、
前記第１複数音階は、五音音階から形成され、
前記第２複数音階は、七音音階から形成される
電子楽器。
【請求項６】
請求項１において、
入力装置を更に具備し、
前記制御装置は、前記入力装置を介して入力された情報に基づいて前記第１複数音階と前記第２複数音階とを設定する
電子楽器。
【請求項７】
請求項１において、
他の検出装置を更に具備し、
前記第１音高の楽音と前記第１音高の楽音とは、前記他の検出装置により検出された他の連続量に基づいて算出された音量で発音される
電子楽器。
【請求項８】
請求項１〜請求項７のいずれかにおいて、
前記検出装置と前記音階切替スイッチと前記制御装置とを搭載するパペットを更に具備し、
前記連続量は、前記パペットの口の開きを示す
電子楽器。
【請求項９】
操作に応答して連続量を出力する検出装置と、
前記操作と異なる他の操作に応答して状態が変化する音階切替スイッチと、
入力装置と、
制御装置とを具備し、
前記制御装置は、
前記入力装置を介して入力された情報に基づいて第１モードに切り換えられた場合で、前記音階切替スイッチが第１状態であるときに第１複数音階のうちの前記連続量に基づいて選択された第１音高の楽音を出力し、前記音階切替スイッチが前記第１状態と異なる第２状態であるときに前記第１複数音階と異なる第２複数音階のうちの前記連続量に基づいて選択された第２音高の楽音を出力し、
前記情報に基づいて第２モードに切り換えられた場合で、前記音階切替スイッチが前記第１状態であるときに第３複数音階のうちの前記連続量に基づいて選択された第３音高の楽音を出力し、前記音階切替スイッチが前記第２状態であるときに前記第３複数音階と異なる第４複数音階のうちの前記連続量に基づいて選択された第４音高の楽音を出力する
電子楽器。
【発明の詳細な説明】
【技術分野】
【０００１】
本発明は、電子楽器に関し、特に、演奏者の連続的な動きに対応する音高の楽音が発音される電子楽器に関する。
【背景技術】
【０００２】
演奏者の連続的な動きに対応する音高の楽音が発音される電子楽器が知られている。このような電子楽器としては、テルミンが例示される。このような電子楽器は、その動きが少しずれると、そのずれた分だけ音高が異なる楽音が出力される。このため、演奏者は、このような電子楽器を演奏して所定の音階の楽音を出力することに熟練を要する。このため、このような電子楽器は、所定の音階の楽音を出力するときの操作をより容易にすることが望まれている。
【０００３】
実用新案登録第３１１８５４１号公報には、演奏者の連続的な動きや物理量の変化を音階に従った音程の音に変換することによって、この楽器を初めて手にする人にも直感的に容易に演奏をすることができる電子楽器が開示されている。その電子楽器は、内部に人の手が入る人形の形状をし、該人形または該人形周辺の物理量の連続的な変化を検出し得る電気的検出手段と、該電気的検出手段の出力信号の変化に応じて音高を決める制御回路を有し、該制御回路によって決定される音高が、音階に従って段階的に変化することを特徴としている。
【０００４】
図１は、実用新案登録第３１１８５４１号公報に開示される電子楽器により、その物理量に基づいて算出される音高を示している。その音高は、離散的な値を示しながら単純に増加し、階段状に形成されている。その離散的な値は、全音階を構成する複数の音高を示している。このような電子楽器は、西洋音階（全音階）を構成する複数の音高を異なる音高の楽音を出力しない。このため、演奏者は、その電子楽器を用いて、西洋音階（全音階）を構成する複数の音高の楽音だけを容易に出力させることができる。
【０００５】
西洋音階を構成する音高の楽音が使用されるだけでなく、半音階を構成する音高の楽音が使用される楽曲がある。このような楽曲は、半音階を構成する複数の音高を出力するように構成されたその電子楽器を用いて演奏することができる。このような電子楽器は、出力することができる音高の個数を増加させると、その音高の各々に対応する物理量の範囲が狭くなり、その動きが少しずれることにより、隣接する音高の楽音が出力されやすくなる。すなわち、演奏者は、出力可能な音高の個数が多くなるほど、演奏に熟練を要する。このため、このような電子楽器は、出力可能な音高の個数が多くなっても、所定の音階の楽音を出力するときの操作がより容易であることが望まれている。
【０００６】
【特許文献１】実用新案登録第３１１８５４１号公報
【発明の開示】
【発明が解決しようとする課題】
【０００７】
本発明の課題は、演奏者の連続的な動きに対応する音高の楽音が発音される演奏をより容易にする電子楽器を提供することにある。
【課題を解決するための手段】
【０００８】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００９】
本発明による電子楽器（１）は、操作に応答して連続量を出力する検出装置（７）と、その操作と異なる他の操作に応答して状態が変化する音階切替スイッチ（１５）と、制御装置（１０）とを備えている。制御装置（１０）は、音階切替スイッチ（１５）が第１状態であるときに第１複数音階のうちのその連続量に基づいて選択された第１音高（３１）の楽音をスピーカ（８）から出力し、音階切替スイッチ（１５）がその第１状態と異なる第２状態であるときにその第１複数音階と異なる第２複数音階のうちのその連続量に基づいて選択された第２音高（３４）の楽音をスピーカ（８）から出力する。
【００１０】
その第２複数音階は、その第１複数音階を構成する複数の音高と、その複数の音階のうちの隣接する２つの音階の間の１つの音高とから形成される。このような電子楽器（１）によれば、ユーザは、第１音階に含まれる音高を出力させるときに誤った音高の楽音を出力させることを防止しつつ、第１音階に含まれないで第２音階に含まれる音高を出力させることができる。
【００１１】
本発明による電子楽器（１）は、第１音高（３１）と第２音高（３４）とを表示している表示装置（１８）をさらに備えていることが好ましい。
【００１２】
その第１複数音階は、全音階から形成されている。その第２複数音階は、半音階から形成される。または、その第１複数音階は、五音音階から形成されている。その第２複数音階は、七音音階から形成される。
【００１３】
本発明による電子楽器（１）は、入力装置（１７）をさらに備えている。このとき、制御装置（１０）は、入力装置（１７）を介して入力された情報に基づいてその第１複数音階とその第２複数音階とを設定する。
【００１４】
本発明による電子楽器（１）は、他の検出装置（１４）をさらに備えている。このとき、第１音高（３１）の楽音と第１音高（３１）の楽音とは、検出装置（１４）により検出された他の連続量に基づいて算出された音量で発音される。
【００１５】
本発明による電子楽器（１）は、検出装置（７）と音階切替スイッチ（１５）と制御装置（１０）とを搭載するパペット（２）をさらに備えている。このとき、その連続量は、パペット（２）の口（５）の開きを示している。
【００１６】
本発明による電子楽器（１）は、操作に応答して連続量を出力する検出装置（７）と、その操作と異なる他の操作に応答して状態が変化する音階切替スイッチ（１５）と、入力装置（１７）と、制御装置（１０）とを備えている。制御装置（１０）は、入力装置（１７）を介して入力された情報に基づいて第１モードに切り換えられた場合で、音階切替スイッチ（１５）が第１状態であるときに第１複数音階のうちのその連続量に基づいて選択された第１音高（３１）の楽音をスピーカ（８）から出力し、音階切替スイッチ（１５）がその第１状態と異なる第２状態であるときにその第１複数音階と異なる第２複数音階のうちのその連続量に基づいて選択された第２音高（３４）の楽音をスピーカ（８）から出力する。制御装置（１０）は、さらに、その情報に基づいて第２モードに切り換えられた場合で、音階切替スイッチ（１５）がその第１状態であるときに第３複数音階のうちのその連続量に基づいて選択された第３音高（５１）の楽音をスピーカ（８）から出力し、音階切替スイッチ（１５）がその第２状態であるときにその第３複数音階と異なる第４複数音階のうちのその連続量に基づいて選択された第４音高（５４）の楽音をスピーカ（８）から出力する。
【発明の効果】
【００１７】
本発明による電子楽器は、演奏者の連続的な動きに対応する音高の楽音が発音される電子楽器を用いた演奏をより容易にすることができる。たとえば、演奏者は、第１音階に含まれる音高を出力させるときに音階切替スイッチを第１状態にし、第１音階に含まれないで第２音階に含まれる音高を出力させるときに音階切替スイッチを第２状態にすることにより、第１音階に含まれる音高を出力させるときに誤った音高の楽音を出力させることを防止しつつ、第１音階に含まれないで第２音階に含まれる音高を出力させることができる。
【発明を実施するための最良の形態】
【００１８】
図面を参照して、本発明による電子楽器の実施の形態を記載する。その電子楽器１は、図２に示されているように、パペット２が複数の電気機器を備えている。パペット２は、蛙に似せて形成されている。パペット２は、空洞３が形成され、その蛙の口５が形成されている。口５は、上顎と下顎とが自由に開閉することができるように形成されている。ユーザは、手６を空洞３に挿入して操作することにより、口５を開閉することができる。
【００１９】
その複数の電気機器は、口開度検出装置７とスピーカ８と制御装置１０とを含んでいる。口開度検出装置７とスピーカ８と制御装置１０とは、それぞれ、パペット２の内部に配置されている。口開度検出装置７は、電線を介して制御装置１０に電気的に接続されている。口開度検出装置７は、口５の開度を測定し、その開度を示す電気信号を制御装置１０に出力する。その開度は、連続量であり、口５の上顎と下顎との角度θに関して単純に増加する関数である。その開度としては、角度θそのものが例示される。スピーカ８は、電線を介して制御装置１０に電気的に接続されている。スピーカ８は、制御装置１０から供給される電気信号を音声に変換する。
【００２０】
その複数の電気機器は、図３に示されているように、さらに、押圧力検出装置１４と音階切替スイッチ１５とグリッサンドスイッチ１６と入力装置１７と表示装置１８とを含んでいる。押圧力検出装置１４と音階切替スイッチ１５とグリッサンドスイッチ１６と入力装置１７と表示装置１８とは、パペット２の右前足１１の表面に配置されている。
【００２１】
押圧力検出装置１４は、電線を介して制御装置１０に電気的に接続されている。押圧力検出装置１４は、押しボタンスイッチに形成されている。押圧力検出装置１４は、その押しボタンスイッチが押下される押圧力を測定し、その押圧力を示す電気信号を制御装置１０に出力する。
【００２２】
音階切替スイッチ１５は、電線を介して制御装置１０に電気的に接続されている。音階切替スイッチ１５は、押しボタンスイッチに形成されている。音階切替スイッチ１５は、その押しボタンスイッチが押下されているかどうかを示す電気信号を制御装置１０に出力する。
【００２３】
グリッサンドスイッチ１６は、電線を介して制御装置１０に電気的に接続されている。グリッサンドスイッチ１６は、押しボタンスイッチに形成されている。グリッサンドスイッチ１６は、その押しボタンスイッチが押下されているかどうかを示す電気信号を制御装置１０に出力する。
【００２４】
入力装置１７は、電線を介して制御装置１０に電気的に接続されている。入力装置１７は、ユーザに操作されることにより情報を生成し、その情報を示す電気信号を制御装置１０に出力する。入力装置１７としては、複数の小さなスイッチから形成されるディップスイッチ、キーボードが例示される。
【００２５】
表示装置１８は、電線を介して制御装置１０に電気的に接続されている。表示装置１８は、表示面を備え、制御装置１０から出力される電気信号が示す画面をその表示面に表示する。
【００２６】
制御装置１０は、コンピュータであり、図４に示されているように、複数のコンピュータプログラムがインストールされている。すなわち、制御装置１０は、図示されていないＣＰＵと記憶装置とインターフェースとを備えている。そのＣＰＵは、制御装置１０にインストールされるコンピュータプログラムを実行して、その記憶装置とインターフェースとを制御する。その記憶装置は、そのコンピュータプログラムを記録し、そのＣＰＵにより生成される情報を一時的に記録する。そのインターフェースは、電気機器から出力される電気信号が示す情報をそのＣＰＵに出力する。その電気機器は、口開度検出装置７と押圧力検出装置１４と音階切替スイッチ１５とグリッサンドスイッチ１６と入力装置１７とを含んでいる。そのインターフェースは、さらに、そのＣＰＵにより生成された情報を示す電気信号を電気機器に出力する。その電気機器は、スピーカ８と表示装置１８とを含んでいる。
【００２７】
そのコンピュータプログラムは、モード切換部２１と連続量収集部２２と表示部２３と音階切替スイッチ状態収集部２４と押圧力収集部２５と発音部２６とを含んでいる。
【００２８】
モード切換部２１は、入力装置１７を介して入力される情報とグリッサンドスイッチ１６の状態とに基づいて、複数のモードのうちから１つのモードを選択する。その複数のモードは、グリッサンドモードと西洋（七音）音階モードとヨナ抜き音階モードとを含んでいる。たとえば、モード切換部２１は、グリッサンドスイッチ１６が押下されているときに、グリッサンドモードを選択する。モード切換部２１は、グリッサンドスイッチ１６が押下されていない場合で、入力装置１７を介して入力された情報が西洋音階モードを示しているときに、西洋音階モードを選択する。モード切換部２１は、グリッサンドスイッチ１６が押下されていない場合で、入力装置１７を介して入力された情報がヨナ抜き音階モードを示しているときに、ヨナ抜き音階モードを選択する。
【００２９】
連続量収集部２２は、口５の開度を口開度検出装置７から収集する。表示部２３は、連続量収集部２２により収集された開度に基づいて画面を生成し、その画面に表示装置１８に表示する。音階切替スイッチ状態収集部２４は、音階切替スイッチ１５の状態を音階切替スイッチ１５から収集する。押圧力収集部２５は、押圧力検出装置１４が押下される押圧力を押圧力検出装置１４から収集する。
【００３０】
発音部２６は、連続量収集部２２により収集された開度と音階切替スイッチ状態収集部２４により収集された状態とに基づいて音高を算出する。発音部２６は、押圧力収集部２５により収集された押圧力に基づいて音量を算出する。その音量は、その押圧力がある閾値より小さいときに０を示し、その押圧力がその閾値より大きいときにその押圧力に関して単純に増加する関数である。発音部２６は、その算出された音高の楽音をその算出された音量でスピーカ８から出力する。
【００３１】
図５は、表示装置１８が備える表示面を示している。その表示面２８は、複数の階名が表示可能に形成されている。その複数の階名は、音名２９−Ｃと音名２９−Ｃ＃と音名２９−Ｄと音名２９−Ｄ＃と音名２９−Ｅと音名２９−Ｆと音名２９−Ｆ＃と音名２９−Ｇと音名２９−Ｇ＃と音名２９−Ａと音名２９−Ａ＃と音名２９−Ｂとから形成されている。
【００３２】
その複数の階名は、円周を１２等分する点上に配置されている。さらに、音名２９−Ｃは、音名２９−Ｃ＃に隣り合うように配置されている。音名２９−Ｃ＃は、音名２９−Ｄに隣り合うように配置されている。音名２９−Ｄは、音名２９−Ｄ＃に隣り合うように配置されている。音名２９−Ｄ＃は、音名２９−Ｅに隣り合うように配置されている。音名２９−Ｅは、音名２９−Ｆに隣り合うように配置されている。音名２９−Ｆは、音名２９−Ｆ＃に隣り合うように配置されている。音名２９−Ｆ＃は、音名２９−Ｇに隣り合うように配置されている。音名２９−Ｇは、音名２９−Ｇ＃に隣り合うように配置されている。音名２９−Ｇ＃は、音名２９−Ａに隣り合うように配置されている。音名２９−Ａは、音名２９−Ａ＃に隣り合うように配置されている。音名２９−Ａ＃は、音名２９−Ｂに隣り合うように配置されている。音名２９−Ｂは、音名２９−Ｃに隣り合うように配置されている。
【００３３】
音名２９−Ｃは、文字「Ｃ」を示す図形に形成され、階名「Ｃ」を示している。音名２９−Ｃ＃は、点「・」を示す図形に形成され、階名「Ｃ＃」を示している。音名２９−Ｄは、文字「Ｄ」を示す図形に形成され、階名「Ｄ」を示している。音名２９−Ｄ＃は、点「・」を示す図形に形成され、階名「Ｄ＃」を示している。音名２９−Ｅは、文字「Ｅ」を示す図形に形成され、階名「Ｅ」を示している。音名２９−Ｆは、文字「Ｆ」を示す図形に形成され、階名「Ｆ」を示している。音名２９−Ｆ＃は、点「・」を示す図形に形成され、階名「Ｆ＃」を示している。音名２９−Ｇは、文字「Ｇ」を示す図形に形成され、階名「Ｇ」を示している。音名２９−Ｇ＃は、点「・」を示す図形に形成され、階名「Ｇ＃」を示している。音名２９−Ａは、文字「Ａ」を示す図形に形成され、階名「Ａ」を示している。音名２９−Ａ＃は、点「・」を示す図形に形成され、階名「Ａ＃」を示している。音名２９−Ｂは、文字「Ｂ」を示す図形に形成され、階名「Ｂ」を示している。
【００３４】
その複数の階名は、それぞれ、制御装置１０に制御されることにより、その図形が点灯表示され、または、点滅表示され、または、消灯される。すなわち、表示部２３は、連続量収集部２２により収集された開度に基づいて複数の階名のうちの１つの階名を選択し、その選択された階名を点灯表示させる。表示部２３は、さらに、連続量収集部２２により収集された開度に基づいて複数の階名のうちの他の１つの階名が選択されたときに、その選択された階名を点滅表示させる。
【００３５】
図６は、連続量収集部２２により収集される開度が取り得る値の範囲を示している。その範囲は、モード切換部２１により西洋音階モードが選択されているときに、互いに重なりがない複数の区間に分割されている。その複数の区間は、区間３２−Ｃと区間３２−Ｄと区間３２−Ｅと区間３２−Ｆと区間３２−Ｇと区間３２−Ａと区間３２−Ｂとを含んでいる。
【００３６】
区間３２−Ｃは、区間３２−Ｄに隣接している。区間３２−Ｄは、区間３２−Ｅに隣接している。区間３２−Ｅは、区間３２−Ｆに隣接している。区間３２−Ｆは、区間３２−Ｇに隣接している。区間３２−Ｇは、区間３２−Ａに隣接している。区間３２−Ａは、区間３２−Ｂに隣接している。
【００３７】
連続量収集部２２により収集される開度が取り得る値の範囲は、モード切換部２１により西洋音階モードが選択されているときに、さらに、互いに重なりがない他の複数の区間に分割されている。その複数の区間の幅は、それぞれ、互いに等しい。その複数の区間は、区間３５−Ｃと区間３５−Ｃ＃と区間３５−Ｄと区間３５−Ｄ＃と区間３５−Ｅと区間３５−Ｆと区間３５−Ｆ＃と区間３５−Ｇと区間３５−Ｇ＃と区間３５−Ａと区間３５−Ａ＃と区間３５−Ｂとを含んでいる。
【００３８】
区間３５−Ｃは、区間３５−Ｃ＃に隣接している。区間３５−Ｃ＃は、区間３５−Ｄに隣接している。区間３５−Ｄは、区間３５−Ｄ＃に隣接している。区間３５−Ｄ＃は、区間３５−Ｅに隣接している。区間３５−Ｅは、区間３５−Ｆに隣接している。区間３５−Ｆは、区間３５−Ｆ＃に隣接している。区間３５−Ｆ＃は、区間３５−Ｇに隣接している。区間３５−Ｇは、区間３５−Ｇ＃に隣接している。区間３５−Ｇ＃は、区間３５−Ａに隣接している。区間３５−Ａは、区間３５−Ａ＃に隣接している。区間３５−Ａ＃は、区間３５−Ｂに隣接している。
【００３９】
区間３５−Ｃは、区間３２−Ｃに含まれている。区間３５−Ｄは、区間３２−Ｄに含まれている。区間３５−Ｅは、区間３２−Ｅに含まれている。区間３５−Ｆは、区間３２−Ｆに含まれている。区間３５−Ｇは、区間３２−Ｇに含まれている。区間３５−Ａは、区間３２−Ａに含まれている。区間３５−Ｂは、区間３２−Ｂに含まれている。区間３２−Ｃと区間３２−Ｄとの境界は、区間３５−Ｃ＃に含まれ、区間３５−Ｃ＃の中央の値に一致している。区間３２−Ｄと区間３２−Ｅとの境界は、区間３５−Ｄ＃に含まれ、区間３５−Ｄ＃の中央の値に一致している。区間３２−Ｆと区間３２−Ｇとの境界は、区間３５−Ｆ＃に含まれ、区間３５−Ｆ＃の中央の値に一致している。区間３２−Ｇと区間３２−Ａとの境界は、区間３５−Ｇ＃に含まれ、区間３５−Ｇ＃の中央の値に一致している。区間３２−Ａと区間３２−Ｂとの境界は、区間３５−Ａ＃に含まれ、区間３５−Ａ＃の中央の値に一致している。このとき、複数の区間３５−Ｃ〜３５−Ｂの各々の幅の平均は、複数の区間３２−Ｃ〜３２−Ｂの各々の幅の平均より小さい。
【００４０】
このとき、表示部２３は、モード切換部２１により西洋音階モードが選択されている場合で、連続量収集部２２により収集された開度が区間３２−Ｃに含まれているときに、音名２９−Ｃを点灯表示する。表示部２３は、その収集された開度が区間３２−Ｄに含まれているときに、音名２９−Ｄを点灯表示する。表示部２３は、その収集された開度が区間３２−Ｅに含まれているときに、音名２９−Ｅを点灯表示する。表示部２３は、その収集された開度が区間３２−Ｆに含まれているときに、音名２９−Ｆを点灯表示する。表示部２３は、その収集された開度が区間３２−Ｇに含まれているときに、音名２９−Ｇを点灯表示する。表示部２３は、その収集された開度が区間３２−Ａに含まれているときに、音名２９−Ａを点灯表示する。表示部２３は、その収集された開度が区間３２−Ｂに含まれているときに、音名２９−Ｂを点灯表示する。
【００４１】
さらに、表示部２３は、連続量収集部２２により収集された開度が区間３５−Ｃ＃に含まれているときに、音名２９−Ｃ＃を点滅して表示する。表示部２３は、その収集された開度が区間３５−Ｄ＃に含まれているときに、音名２９−Ｄ＃を点滅して表示する。表示部２３は、その収集された開度が区間３５−Ｆ＃に含まれているときに、音名２９−Ｆ＃を点滅して表示する。表示部２３は、その収集された開度が区間３５−Ｇ＃に含まれているときに、音名２９−Ｇ＃を点滅して表示する。表示部２３は、その収集された開度が区間３５−Ａ＃に含まれているときに、音名２９−Ａ＃を点滅して表示する。
【００４２】
図６は、さらに、モード切換部２１により西洋音階モードが選択されている場合で、音階切替スイッチ１５が押下されていないときに、連続量収集部２２により収集された開度に基づいて発音部２６により算出される音高を示している。その音高３１は、その開度に関して単純に増加する関数である。音高３１は、その開度が区間３２−Ｃに含まれるときに、音高Ｃを示している。音高３１は、その開度が区間３２−Ｄに含まれるときに、音高Ｄを示している。音高３１は、その開度が区間３２−Ｅに含まれるときに、音高Ｅを示している。音高３１は、その開度が区間３２−Ｆに含まれるときに、音高Ｆを示している。音高３１は、その開度が区間３２−Ｇに含まれるときに、音高Ｇを示している。音高３１は、その開度が区間３２−Ａに含まれるときに、音高Ａを示している。音高３１は、その開度が区間３２−Ｂに含まれるときに、音高Ｂを示している。
【００４３】
図６は、さらに、モード切換部２１により西洋音階モードが選択されている場合で、音階切替スイッチ１５が押下されているときに、連続量収集部２２により収集された開度に基づいて発音部２６により算出される音高を示している。その音高３４は、その開度に関して単純に増加する関数である。音高３４は、その開度が区間３５−Ｃに含まれるときに、音高Ｃを示している。音高３４は、その開度が区間３５−Ｃ＃に含まれるときに、音高Ｃ＃を示している。音高３４は、その開度が区間３５−Ｄに含まれるときに、音高Ｄを示している。音高３４は、その開度が区間３５−Ｄ＃に含まれるときに、音高Ｄ＃を示している。音高３４は、その開度が区間３５−Ｅに含まれるときに、音高Ｅを示している。音高３４は、その開度が区間３５−Ｆに含まれるときに、音高Ｆを示している。音高３４は、その開度が区間３５−Ｆ＃に含まれるときに、音高Ｆ＃を示している。音高３４は、その開度が区間３５−Ｇに含まれるときに、音高Ｇを示している。音高３４は、その開度が区間３５−Ｇ＃に含まれるときに、音高Ｇ＃を示している。音高３４は、その開度が区間３５−Ａに含まれるときに、音高Ａを示している。音高３４は、その開度が区間３５−Ａ＃に含まれるときに、音高Ａ＃を示している。音高３４は、その開度が区間３５−Ｂに含まれるときに、音高Ｂを示している。
【００４４】
すなわち、表示部２３により点灯表示される音高は、音階切替スイッチ１５が押下されていないときに、押圧力検出装置１４の押下に応答して出力される楽音の音高を示している。表示部２３により点滅表示される音高は、音階切替スイッチ１５が押下されているときに、押圧力検出装置１４の押下に応答して出力される楽音の音高を示している。
【００４５】
連続量収集部２２により収集される開度が取り得る値の範囲は、モード切換部２１によりヨナ抜き音階モードが選択されているときに、図７に示されているように、互いに重なりがない複数の区間に分割されている。その複数の区間は、区間５２−Ｃと区間５２−Ｄと区間５２−Ｅと区間５２−Ｇと区間５２−Ａとを含んでいる。
【００４６】
区間５２−Ｃは、区間５２−Ｄに隣接している。区間５２−Ｄは、区間５２−Ｅに隣接している。区間５２−Ｅは、区間５２−Ｇに隣接している。区間５２−Ｇは、区間５２−Ａに隣接している。
【００４７】
連続量収集部２２により収集される開度が取り得る値の範囲は、モード切換部２１によりヨナ抜き音階モードが選択されているときに、さらに、互いに重なりがない他の複数の区間に分割されている。その複数の区間の幅は、それぞれ、互いに等しい。その複数の区間は、区間５５−Ｃと区間５５−Ｄと区間５５−Ｅと区間５５−Ｆと区間５５−Ｇと区間５５−Ａと区間５５−Ｂとを含んでいる。
【００４８】
区間５５−Ｃは、区間５５−Ｄに隣接している。区間５５−Ｄは、区間５５−Ｅに隣接している。区間５５−Ｅは、区間５５−Ｆに隣接している。区間５５−Ｆは、区間５５−Ｇに隣接している。区間５５−Ｇは、区間５５−Ａに隣接している。区間５５−Ａは、区間５５−Ｂに隣接している。
【００４９】
区間５５−Ｃは、区間５２−Ｃに含まれている。区間５５−Ｄは、区間５２−Ｄに一致している。区間５５−Ｅは、区間５２−Ｅに含まれている。区間５５−Ｇは、区間５２−Ｇに含まれている。区間５５−Ａは、区間５２−Ａに含まれている。区間５２−Ｅと区間５２−Ｇとの境界は、区間５５−Ｆに含まれている。区間５２−Ａの上限は、区間５５−Ｂに含まれている。このとき、複数の区間５５−Ｃ〜５５−Ｂの各々の幅の平均が複数の区間５２−Ｃ〜５２−Ａの各々の幅の平均より小さい。
【００５０】
このとき、表示部２３は、モード切換部２１によりヨナ抜き音階モードが選択されている場合で、連続量収集部２２により収集された開度が区間５２−Ｃに含まれているときに、音名２９−Ｃを点灯表示する。表示部２３は、その収集された開度が区間５２−Ｄに含まれているときに、音名２９−Ｄを点灯表示する。表示部２３は、その収集された開度が区間５２−Ｅに含まれているときに、音名２９−Ｅを点灯表示する。表示部２３は、その収集された開度が区間５２−Ｇに含まれているときに、音名２９−Ｇを点灯表示する。表示部２３は、その収集された開度が区間５２−Ａに含まれているときに、音名２９−Ａを点灯表示する。
【００５１】
さらに、表示部２３は、連続量収集部２２により収集された開度が区間５５−Ｆに含まれているときに、音名２９−Ｆを点滅して表示する。表示部２３は、その収集された開度が区間５５−Ｂに含まれているときに、音名２９−Ｂを点滅して表示する。
【００５２】
図７は、さらに、モード切換部２１によりヨナ抜き音階モードが選択されている場合で、音階切替スイッチ１５が押下されていないときに、連続量収集部２２により収集された開度に基づいて発音部２６により算出される音高を示している。その音高５１は、その開度に関して単純に増加する関数である。音高５１は、その開度が区間５２−Ｃに含まれるときに、音高Ｃを示している。音高５１は、その開度が区間５２−Ｄに含まれるときに、音高Ｄを示している。音高５１は、その開度が区間５２−Ｅに含まれるときに、音高Ｅを示している。音高５１は、その開度が区間５２−Ｇに含まれるときに、音高Ｇを示している。音高５１は、その開度が区間５２−Ａに含まれるときに、音高Ａを示している。
【００５３】
図７は、さらに、モード切換部２１によりヨナ抜き音階モードが選択されている場合で、音階切替スイッチ１５が押下されているときに、連続量収集部２２により収集された開度に基づいて発音部２６により算出される音高を示している。その音高５４は、その開度に関して単純に増加する関数である。音高５４は、その開度が区間５５−Ｃに含まれるときに、音高Ｃを示している。音高５４は、その開度が区間５５−Ｄに含まれるときに、音高Ｄを示している。音高５４は、その開度が区間５５−Ｅに含まれるときに、音高Ｅを示している。音高５４は、その開度が区間５５−Ｆに含まれるときに、音高Ｆを示している。音高５４は、その開度が区間５５−Ｇに含まれるときに、音高Ｇを示している。音高５４は、その開度が区間５５−Ａに含まれるときに、音高Ａを示している。音高５４は、その開度が区間５５−Ｂに含まれるときに、音高Ｂを示している。
【００５４】
すなわち、表示部２３により点灯表示される音高は、音階切替スイッチ１５が押下されていないときに、押圧力検出装置１４の押下に応答して出力される楽音の音高を示している。表示部２３により点滅表示される音高は、音階切替スイッチ１５が押下されているときに、押圧力検出装置１４の押下に応答して出力される楽音の音高を示している。
【００５５】
電子楽器１の動作は、モードを切り換える動作と楽音を出力する動作とを備えている。
【００５６】
そのモードを切り換える動作では、演奏者は、入力装置１７またはグリッサンドスイッチ１６を操作することにより、複数のモードから１つのモードを選択する。すなわち、制御装置１０は、グリッサンドスイッチ１６が押下されているときに、グリッサンドモードを選択する。制御装置１０は、モード切換部２１は、グリッサンドスイッチ１６が押下されていない場合で、入力装置１７を介して西洋音階モードを示す情報が入力されたときに、西洋音階モードを選択する。制御装置１０は、グリッサンドスイッチ１６が押下されていない場合で、入力装置１７を介してヨナ抜き音階モードを示す情報が入力されたときに、ヨナ抜き音階モードを選択する。
【００５７】
その楽音を出力する動作は、グリッサンドモードの動作と西洋音階モードの動作とヨナ抜き音階モードの動作とを備え、演奏者が電子楽器１を構えているときに、すなわち、パペット２の空洞３に演奏者の左手が挿入され、演奏者の右手が押圧力検出装置１４と音階切替スイッチ１５とグリッサンドスイッチ１６とを操作可能になったときに実行される。
【００５８】
そのグリッサンドモードの動作では、演奏者は、左手でパペット２の口５を開閉し、右手の指で押圧力検出装置１４を押下したり放したりする。電子楽器１の制御装置１０は、口５の開度を口開度検出装置７から収集し、押圧力検出装置１４が押下される押圧力を押圧力検出装置１４から収集する。制御装置１０は、その開度に基づいて音高を算出する。その音高は、その開度に関して単純に増加する関数であり、たとえば、半音階のうちの隣接する２つの音高の間の音高を示すこともある。制御装置１０は、さらに、その押圧力に対応する音量で、その算出された音高の楽音をスピーカ８から出力する。
【００５９】
その西洋音階モードの動作では、演奏者は、左手でパペット２の口５を開閉し、右手の指で押圧力検出装置１４を押下したり放したりし、右手の指で音階切替スイッチ１５を押下したり放したりする。電子楽器１の制御装置１０は、口５の開度を口開度検出装置７から収集し、押圧力検出装置１４が押下される押圧力を押圧力検出装置１４から収集し、音階切替スイッチ１５の状態を音階切替スイッチ１５から収集する。
【００６０】
制御装置１０は、複数の階名のうちからその開度に基づいて選択された１つの階名を点灯表示し、複数の階名のうちからその開度に基づいて選択された１つの階名を点滅表示する。制御装置１０は、図６のグラフに示されるように、口５の開度と音階切替スイッチ１５の状態とに基づいて音高を算出する。すなわち、制御装置１０は、音階切替スイッチ１５が押下されていないときに、西洋音階のうちからその開度に基づいて１つの音高を選択し、制御装置１０は、音階切替スイッチ１５が押下されているときに、半音階のうちからその開度に基づいて１つの音高を選択する。制御装置１０は、さらに、その押圧力に対応する音量で、その算出された音高の楽音をスピーカ８から出力する。
【００６１】
このような動作よれば、電子楽器１は、西洋音階または半音階のうちの１つの音高の楽音だけを出力する。このため、演奏者は、グリッサンドモードの動作に比較して、西洋音階または半音階を構成する複数の音高の楽音だけを容易に出力させることができる。
【００６２】
このような動作では、演奏者は、西洋音階に含まれる音高を出力させるときに音階切替スイッチ１５を放し、西洋音階に含まれないで半音階に含まれる音高を出力させるときに音階切替スイッチ１５を押下する。このような操作によれば、複数の区間３５−Ｃ〜３５−Ｂの各々の幅の平均が複数の区間３２−Ｃ〜３２−Ｂの各々の幅の平均より小さいために、演奏者は、西洋音階に含まれる音高を出力させるときに誤った音高の楽音を出力させることを防止しつつ、西洋音階に含まれないで半音階に含まれる音高を出力させることができる。
【００６３】
このような動作では、表示装置１８に点灯表示される音高は、音階切替スイッチ１５が押下されていないときに、押圧力検出装置１４の押下に応答して出力される楽音の音高を示し、表示装置１８に点滅表示される音高は、音階切替スイッチ１５が押下されているときに、押圧力検出装置１４の押下に応答して出力される楽音の音高を示している。このとき、演奏者は、音階切替スイッチ１５の状態によりどの音高の楽音が出力されるかを確認することができ、西洋音階に含まれないで半音階に含まれる音高を間違えないように出力させることができる。
【００６４】
そのヨナ抜き音階モードの動作では、演奏者は、左手でパペット２の口５を開閉し、右手の指で押圧力検出装置１４を押下したり放したりし、右手の指で音階切替スイッチ１５を押下したり放したりする。電子楽器１の制御装置１０は、口５の開度を口開度検出装置７から収集し、押圧力検出装置１４が押下される押圧力を押圧力検出装置１４から収集し、音階切替スイッチ１５の状態を音階切替スイッチ１５から収集する。
【００６５】
制御装置１０は、複数の階名のうちからその開度に基づいて選択された１つの階名を点灯表示し、複数の階名のうちからその開度に基づいて選択された１つの階名を点滅表示する。制御装置１０は、図７のグラフに示されるように、口５の開度と音階切替スイッチ１５の状態とに基づいて音高を算出する。すなわち、制御装置１０は、音階切替スイッチ１５が押下されていないときに、ヨナ抜き音階のうちからその開度に基づいて１つの音高を選択し、制御装置１０は、音階切替スイッチ１５が押下されているときに、西洋音階のうちからその開度に基づいて１つの音高を選択する。制御装置１０は、さらに、その押圧力に対応する音量で、その算出された音高の楽音をスピーカ８から出力する。
【００６６】
このような動作よれば、電子楽器１は、ヨナ抜き音階または西洋音階のうちの１つの音高の楽音だけを出力する。このため、演奏者は、グリッサンドモードの動作に比較して、ヨナ抜き音階または西洋音階を構成する複数の音高の楽音だけを容易に出力させることができる。
【００６７】
このような動作では、演奏者は、ヨナ抜き音階に含まれる音高を出力させるときに音階切替スイッチ１５を放し、ヨナ抜き音階に含まれないで西洋音階に含まれる音高を出力させるときに音階切替スイッチ１５を押下する。このような操作によれば、複数の区間５５−Ｃ〜５５−Ｂの各々の幅の平均が複数の区間５２−Ｃ〜５２−Ｂの各々の幅の平均より小さいために、演奏者は、ヨナ抜き音階に含まれる音高を出力させるときに誤った音高の楽音を出力させることを防止しつつ、ヨナ抜き音階に含まれないで西洋音階に含まれる音高を出力させることができる。
【００６８】
このような動作では、表示装置１８に点灯表示される音高は、音階切替スイッチ１５が押下されていないときに、押圧力検出装置１４の押下に応答して出力される楽音の音高を示し、表示装置１８に点滅表示される音高は、音階切替スイッチ１５が押下されているときに、押圧力検出装置１４の押下に応答して出力される楽音の音高を示している。このとき、演奏者は、音階切替スイッチ１５の状態によりどの音高の楽音が出力されるかを確認することができ、西洋音階に含まれないで半音階に含まれる音高を間違えないように出力させることができる。
【００６９】
図８は、モード切換部２１により西洋音階モードが選択されているときに、連続量収集部２２により収集される開度と発音部２６により算出される音高との関係の他の例を示している。この例では、その開度が取り得る値の範囲が分割された複数の区間は、区間４２−Ｃと区間４２−Ｄと区間４２−Ｅと区間４２−Ｆと区間４２−Ｇと区間４２−Ａと区間４２−Ｂとを含んでいる。
【００７０】
区間４２−Ｃは、区間４２−Ｄに隣接している。区間４２−Ｄは、区間４２−Ｅに隣接している。区間４２−Ｅは、区間４２−Ｆに隣接している。区間４２−Ｆは、区間４２−Ｇに隣接している。区間４２−Ｇは、区間４２−Ａに隣接している。区間４２−Ａは、区間４２−Ｂに隣接している。
【００７１】
連続量収集部２２により収集される開度が取り得る値の範囲は、さらに、互いに重なりがない他の複数の区間に分割されている。その複数の区間は、区間４５−Ｃと区間４５−Ｃ＃と区間４５−Ｄと区間４５−Ｄ＃と区間４５−Ｅと区間４５−Ｆと区間４５−Ｆ＃と区間４５−Ｇと区間４５−Ｇ＃と区間４５−Ａと区間４５−Ａ＃と区間４５−Ｂとを含んでいる。
【００７２】
区間４５−Ｃは、区間４５−Ｃ＃に隣接している。区間４５−Ｃ＃は、区間４５−Ｄに隣接している。区間４５−Ｄは、区間４５−Ｄ＃に隣接している。区間４５−Ｄ＃は、区間４５−Ｅに隣接している。区間４５−Ｅは、区間４５−Ｆに隣接している。区間４５−Ｆは、区間４５−Ｆ＃に隣接している。区間４５−Ｆ＃は、区間４５−Ｇに隣接している。区間４５−Ｇは、区間４５−Ｇ＃に隣接している。区間４５−Ｇ＃は、区間４５−Ａに隣接している。区間４５−Ａは、区間４５−Ａ＃に隣接している。区間４５−Ａ＃は、区間４５−Ｂに隣接している。
【００７３】
区間４５−Ｃは、区間４２−Ｃに含まれている。区間４５−Ｄは、区間４２−Ｄに含まれている。区間４５−Ｅは、区間４２−Ｅに含まれている。区間４５−Ｆは、区間４２−Ｆに含まれている。区間４５−Ｇは、区間４２−Ｇに含まれている。区間４５−Ａは、区間４２−Ａに含まれている。区間４５−Ｂは、区間４２−Ｂに含まれている。区間４２−Ｃと区間４２−Ｄとの境界は、区間４５−Ｃ＃に含まれ、区間４５−Ｃ＃の中央の値より少し大きい値に一致している。区間４２−Ｄと区間４２−Ｅとの境界は、区間４５−Ｄ＃に含まれ、区間４５−Ｄ＃の中央の値に一致している。区間４２−Ｆと区間４２−Ｇとの境界は、区間４５−Ｆ＃に含まれ、区間４５−Ｆ＃の中央の値より少し大きい値に一致している。区間４２−Ｇと区間４２−Ａとの境界は、区間４５−Ｇ＃に含まれ、区間４５−Ｇ＃の中央の値に一致している。区間４２−Ａと区間４２−Ｂとの境界は、区間４５−Ａ＃に含まれ、区間４５−Ａ＃の中央の値より少し大きい値に一致している。
【００７４】
図８は、さらに、モード切換部２１により西洋音階モードが選択されている場合で、音階切替スイッチ１５が押下されていないときに、連続量収集部２２により収集された開度に基づいて発音部２６により算出される音高を示している。その音高４１は、その開度に関して単純に増加する関数である。音高４１は、その開度が区間４２−Ｃに含まれるときに、音高Ｃを示している。音高４１は、その開度が区間４２−Ｄに含まれるときに、音高Ｄを示している。音高４１は、その開度が区間４２−Ｅに含まれるときに、音高Ｅを示している。音高４１は、その開度が区間４２−Ｆに含まれるときに、音高Ｆを示している。音高４１は、その開度が区間４２−Ｇに含まれるときに、音高Ｇを示している。音高４１は、その開度が区間４２−Ａに含まれるときに、音高Ａを示している。音高４１は、その開度が区間４２−Ｂに含まれるときに、音高Ｂを示している。
【００７５】
図８は、さらに、モード切換部２１により西洋音階モードが選択されている場合で、音階切替スイッチ１５が押下されているときに、連続量収集部２２により収集された開度に基づいて発音部２６により算出される音高を示している。その音高４４は、その開度に関して単純に増加する関数である。音高４４は、その開度が区間４５−Ｃに含まれるときに、音高Ｃを示している。音高４４は、その開度が区間４５−Ｃ＃に含まれるときに、音高Ｃ＃を示している。音高４４は、その開度が区間４５−Ｄに含まれるときに、音高Ｄを示している。音高４４は、その開度が区間４５−Ｄ＃に含まれるときに、音高Ｄ＃を示している。音高４４は、その開度が区間４５−Ｅに含まれるときに、音高Ｅを示している。音高４４は、その開度が区間４５−Ｆに含まれるときに、音高Ｆを示している。音高４４は、その開度が区間４５−Ｆ＃に含まれるときに、音高Ｆ＃を示している。音高４４は、その開度が区間４５−Ｇに含まれるときに、音高Ｇを示している。音高４４は、その開度が区間４５−Ｇ＃に含まれるときに、音高Ｇ＃を示している。音高４４は、その開度が区間４５−Ａに含まれるときに、音高Ａを示している。音高４４は、その開度が区間４５−Ａ＃に含まれるときに、音高Ａ＃を示している。音高４４は、その開度が区間４５−Ｂに含まれるときに、音高Ｂを示している。
【００７６】
このような関係によれば、複数の区間４２−Ｃ〜４２−Ｂの各々の幅のばらつき（標準偏差）は、図６の複数の区間４２−Ｃ〜４２−Ｂの各々の幅のばらつきより小さい。このため、ユーザは、図６のグラフが適用された電子楽器に比較して、図８のグラフが適用された電子楽器を演奏しやすい。
【００７７】
図９は、モード切換部２１によりヨナ抜き音階モードが選択されているときに、連続量収集部２２により収集される開度と発音部２６により算出される音高との関係の他の例を示している。すなわち、連続量収集部２２により収集される開度が取り得る値の範囲が分割される複数の区間は、モード切換部２１によりヨナ抜き音階モードが選択されているときに、区間６２−Ｃと区間６２−Ｄと区間６２−Ｅと区間６２−Ｇと区間６２−Ａとを含んでいる。
【００７８】
区間６２−Ｃは、区間６２−Ｄに隣接している。区間６２−Ｄは、区間６２−Ｅに隣接している。区間６２−Ｅは、区間６２−Ｇに隣接している。区間６２−Ｇは、区間６２−Ａに隣接している。
【００７９】
連続量収集部２２により収集される開度が取り得る値の範囲は、モード切換部２１によりヨナ抜き音階モードが選択されているときに、さらに、互いに重なりがない他の複数の区間に分割されている。その複数の区間の幅は、それぞれ、互いに等しい。その複数の区間は、区間６５−Ｃと区間６５−Ｄと区間６５−Ｅと区間６５−Ｆと区間６５−Ｇと区間６５−Ａと区間６５−Ｂとを含んでいる。
【００８０】
区間６５−Ｃは、区間６５−Ｄに隣接している。区間６５−Ｄは、区間６５−Ｅに隣接している。区間６５−Ｅは、区間６５−Ｆに隣接している。区間６５−Ｆは、区間６５−Ｇに隣接している。区間６５−Ｇは、区間６５−Ａに隣接している。区間６５−Ａは、区間６５−Ｂに隣接している。
【００８１】
区間６５−Ｃの下限は、区間６２−Ｃの下限に一致している。区間６５−Ｂの上限は、区間６２−Ｂの上限に一致している。
【００８２】
このとき、表示部２３は、モード切換部２１によりヨナ抜き音階モードが選択されている場合で、連続量収集部２２により収集された開度が区間６２−Ｃに含まれているときに、音名２９−Ｃを点灯表示する。表示部２３は、その収集された開度が区間６２−Ｄに含まれているときに、音名２９−Ｄを点灯表示する。表示部２３は、その収集された開度が区間６２−Ｅに含まれているときに、音名２９−Ｅを点灯表示する。表示部２３は、その収集された開度が区間６２−Ｇに含まれているときに、音名２９−Ｇを点灯表示する。表示部２３は、その収集された開度が区間６２−Ａに含まれているときに、音名２９−Ａを点灯表示する。
【００８３】
さらに、表示部２３は、連続量収集部２２により収集された開度が区間６５−Ｄに含まれている場合で、かつ、その収集された開度が区間６２−Ｄに含まれていないときに、音名２９−Ｄを点滅して表示する。表示部２３は、その収集された開度が区間６５−Ｅに含まれている場合で、かつ、その収集された開度が区間６２−Ｅに含まれていないときに、音名２９−Ｅを点滅して表示する。表示部２３は、その収集された開度が区間６５−Ｆに含まれているときに、音名２９−Ｆを点滅して表示する。表示部２３は、その収集された開度が区間６５−Ｇに含まれている場合で、かつ、その収集された開度が区間６２−Ｇに含まれていないときに、音名２９−Ｇを点滅して表示する。表示部２３は、その収集された開度が区間６５−Ａに含まれている場合で、かつ、その収集された開度が区間６２−Ａに含まれていないときに、音名２９−Ａを点滅して表示する。表示部２３は、その収集された開度が区間６５−Ｂに含まれているときに、音名２９−Ｂを点滅して表示する。
【００８４】
図９は、さらに、モード切換部２１によりヨナ抜き音階モードが選択されている場合で、音階切替スイッチ１５が押下されていないときに、連続量収集部２２により収集された開度に基づいて発音部２６により算出される音高を示している。その音高６１は、その開度に関して単純に増加する関数である。音高６１は、その開度が区間６２−Ｃに含まれるときに、音高Ｃを示している。音高６１は、その開度が区間６２−Ｄに含まれるときに、音高Ｄを示している。音高６１は、その開度が区間６２−Ｅに含まれるときに、音高Ｅを示している。音高６１は、その開度が区間６２−Ｇに含まれるときに、音高Ｇを示している。音高６１は、その開度が区間６２−Ａに含まれるときに、音高Ａを示している。
【００８５】
図９は、さらに、モード切換部２１によりヨナ抜き音階モードが選択されている場合で、音階切替スイッチ１５が押下されているときに、連続量収集部２２により収集された開度に基づいて発音部２６により算出される音高を示している。その音高６４は、その開度に関して単純に増加する関数である。音高６４は、その開度が区間６５−Ｃに含まれるときに、音高Ｃを示している。音高６４は、その開度が区間６５−Ｄに含まれるときに、音高Ｄを示している。音高６４は、その開度が区間６５−Ｅに含まれるときに、音高Ｅを示している。音高６４は、その開度が区間６５−Ｆに含まれるときに、音高Ｆを示している。音高６４は、その開度が区間６５−Ｇに含まれるときに、音高Ｇを示している。音高６４は、その開度が区間６５−Ａに含まれるときに、音高Ａを示している。音高６４は、その開度が区間６５−Ｂに含まれるときに、音高Ｂを示している。
【００８６】
このような関係によれば、複数の区間６２−Ｃ〜６２−Ｂの各々の幅のばらつき（標準偏差）は、図７の複数の区間５２−Ｃ〜５２−Ｂの各々の幅のばらつきより小さい。このため、ユーザは、図７のグラフが適用された電子楽器に比較して、図９のグラフが適用された電子楽器を演奏しやすい。
【００８７】
モード切換部２１により選択され得る複数のモードは、さらに、他のモードを含むことができる。そのモードとしては、琉球音階モード、ユーザ設定音階モードが例示される。
【００８８】
図１０は、モード切換部２１により琉球音階モードが選択されているときに、連続量収集部２２により収集される開度と発音部２６により算出される音高との関係の例を示している。すなわち、連続量収集部２２により収集される開度が取り得る値の範囲が分割される複数の区間は、モード切換部２１により琉球音階モードが選択されているときに、区間７２−Ｃと区間７２−Ｅと区間７２−Ｆと区間７２−Ｇと区間７２−Ｂとを含んでいる。
【００８９】
区間７２−Ｃは、区間７２−Ｅに隣接している。区間７２−Ｅは、区間７２−Ｆに隣接している。区間７２−Ｆは、区間７２−Ｇに隣接している。区間７２−Ｇは、区間７２−Ｂに隣接している。
【００９０】
連続量収集部２２により収集される開度が取り得る値の範囲は、モード切換部２１により琉球音階モードが選択されているときに、さらに、互いに重なりがない他の複数の区間に分割されている。その複数の区間の幅は、それぞれ、互いに等しい。その複数の区間は、区間７５−Ｃと区間７５−Ｄと区間７５−Ｅと区間７５−Ｆと区間７５−Ｇと区間７５−Ａと区間７５−Ｂとを含んでいる。
【００９１】
区間７５−Ｃは、区間７５−Ｄに隣接している。区間７５−Ｄは、区間７５−Ｅに隣接している。区間７５−Ｅは、区間７５−Ｆに隣接している。区間７５−Ｆは、区間７５−Ｇに隣接している。区間７５−Ｇは、区間７５−Ａに隣接している。区間７５−Ａは、区間７５−Ｂに隣接している。
【００９２】
区間７５−Ｃの下限は、区間７２−Ｃの下限に一致している。区間７５−Ｂの上限は、区間７２−Ｂの上限に一致している。
【００９３】
このとき、表示部２３は、モード切換部２１により琉球音階モードが選択されている場合で、連続量収集部２２により収集された開度が区間７２−Ｃに含まれているときに、音名２９−Ｃを点灯表示する。表示部２３は、その収集された開度が区間７２−Ｅに含まれているときに、音名２９−Ｅを点灯表示する。表示部２３は、その収集された開度が区間７２−Ｆに含まれているときに、音名２９−Ｆを点灯表示する。表示部２３は、その収集された開度が区間７２−Ｇに含まれているときに、音名２９−Ｇを点灯表示する。表示部２３は、その収集された開度が区間７２−Ｂに含まれているときに、音名２９−Ｂを点灯表示する。
【００９４】
さらに、表示部２３は、連続量収集部２２により収集された開度が区間７５−Ｄに含まれているときに、音名２９−Ｄを点滅して表示する。収集された開度が区間７５−Ｅに含まれている場合で、かつ、その収集された開度が区間７２−Ｅに含まれていないときに、音名２９−Ｅを点滅して表示する。表示部２３は、その収集された開度が区間７５−Ｇに含まれている場合で、かつ、その収集された開度が区間７２−Ｇに含まれていないときに、音名２９−Ｇを点滅して表示する。表示部２３は、その収集された開度が区間７５−Ａに含まれているときに、音名２９−Ａを点滅して表示する。
【００９５】
図１０は、さらに、モード切換部２１により琉球音階モードが選択されている場合で、音階切替スイッチ１５が押下されていないときに、連続量収集部２２により収集された開度に基づいて発音部２６により算出される音高を示している。その音高７１は、その開度に関して単純に増加する関数である。音高７１は、その開度が区間７２−Ｃに含まれるときに、音高Ｃを示している。音高７１は、その開度が区間７２−Ｅに含まれるときに、音高Ｄを示している。音高７１は、その開度が区間７２−Ｆに含まれるときに、音高Ｅを示している。音高７１は、その開度が区間７２−Ｇに含まれるときに、音高Ｇを示している。音高７１は、その開度が区間７２−Ｂに含まれるときに、音高Ａを示している。
【００９６】
図１０は、さらに、モード切換部２１により琉球音階モードが選択されている場合で、音階切替スイッチ１５が押下されているときに、連続量収集部２２により収集された開度に基づいて発音部２６により算出される音高を示している。その音高７４は、その開度に関して単純に増加する関数である。音高７４は、その開度が区間７５−Ｃに含まれるときに、音高Ｃを示している。音高７４は、その開度が区間７５−Ｄに含まれるときに、音高Ｄを示している。音高７４は、その開度が区間７５−Ｅに含まれるときに、音高Ｅを示している。音高７４は、その開度が区間７５−Ｆに含まれるときに、音高Ｆを示している。音高７４は、その開度が区間７５−Ｇに含まれるときに、音高Ｇを示している。音高７４は、その開度が区間７５−Ａに含まれるときに、音高Ａを示している。音高７４は、その開度が区間７５−Ｂに含まれるときに、音高Ｂを示している。
【００９７】
その琉球音階モードの動作では、演奏者は、左手でパペット２の口５を開閉し、右手の指で押圧力検出装置１４を押下したり放したりし、右手の指で音階切替スイッチ１５を押下したり放したりする。電子楽器１の制御装置１０は、口５の開度を口開度検出装置７から収集し、押圧力検出装置１４が押下される押圧力を押圧力検出装置１４から収集し、音階切替スイッチ１５の状態を音階切替スイッチ１５から収集する。
【００９８】
制御装置１０は、複数の階名のうちからその開度に基づいて選択された１つの階名を点灯表示し、複数の階名のうちからその開度に基づいて選択された１つの階名を点滅表示する。制御装置１０は、図７のグラフに示されるように、口５の開度と音階切替スイッチ１５の状態とに基づいて音高を算出する。すなわち、制御装置１０は、音階切替スイッチ１５が押下されていないときに、琉球音階のうちからその開度に基づいて１つの音高を選択し、制御装置１０は、音階切替スイッチ１５が押下されているときに、西洋音階のうちからその開度に基づいて１つの音高を選択する。制御装置１０は、さらに、その押圧力に対応する音量で、その算出された音高の楽音をスピーカ８から出力する。
【００９９】
このような動作よれば、電子楽器１は、琉球音階または西洋音階のうちの１つの音高の楽音だけを出力する。このため、演奏者は、グリッサンドモードの動作に比較して、琉球音階または西洋音階を構成する複数の音高の楽音だけを容易に出力させることができる。
【０１００】
このような動作では、演奏者は、琉球音階に含まれる音高を出力させるときに音階切替スイッチ１５を放し、琉球音階に含まれないで西洋音階に含まれる音高を出力させるときに音階切替スイッチ１５を押下する。このような操作によれば、複数の区間５５−Ｃ〜５５−Ｂの各々の幅の平均が複数の区間５２−Ｃ〜５２−Ｂの各々の幅の平均より小さいために、演奏者は、琉球音階に含まれる音高を出力させるときに誤った音高の楽音を出力させることを防止しつつ、琉球音階に含まれないで西洋音階に含まれる音高を出力させることができる。
【０１０１】
このような動作では、表示装置１８に点灯表示される音高は、音階切替スイッチ１５が押下されていないときに、押圧力検出装置１４の押下に応答して出力される楽音の音高を示し、表示装置１８に点滅表示される音高は、音階切替スイッチ１５が押下されているときに、押圧力検出装置１４の押下に応答して出力される楽音の音高を示している。このとき、演奏者は、音階切替スイッチ１５の状態によりどの音高の楽音が出力されるかを確認することができ、西洋音階に含まれないで半音階に含まれる音高を間違えないように出力させることができる。
【０１０２】
電子楽器１は、ユーザ設定音階モードの動作を実行する前に、ユーザ設定音階を設定する動作を実行する。ユーザは、入力装置１７を操作して、電子楽器１に第１音階と第２音階とを入力する。その第１音階は、半音階から選択される複数の階名を示している。その第２音階は、半音階から選択される複数の階名を示し、その第１音階が示す複数の階名と他の階名とを示している。
【０１０３】
そのユーザ設定音階モードの動作では、演奏者は、左手でパペット２の口５を開閉し、右手の指で押圧力検出装置１４を押下したり放したりし、右手の指で音階切替スイッチ１５を押下したり放したりする。電子楽器１の制御装置１０は、口５の開度を口開度検出装置７から収集し、押圧力検出装置１４が押下される押圧力を押圧力検出装置１４から収集し、音階切替スイッチ１５の状態を音階切替スイッチ１５から収集する。
【０１０４】
制御装置１０は、第１音階のうちからその開度に基づいて選択された１つの階名を点灯表示し、第２音階のうちからその開度に基づいて選択された１つの階名を点滅表示する。制御装置１０は、口５の開度と音階切替スイッチ１５の状態とに基づいて音高を算出する。すなわち、制御装置１０は、音階切替スイッチ１５が押下されていないときに、第１音階のうちからその開度に基づいて１つの音高を選択し、制御装置１０は、音階切替スイッチ１５が押下されているときに、第２音階のうちからその開度に基づいて１つの音高を選択する。制御装置１０は、さらに、その押圧力に対応する音量で、その算出された音高の楽音をスピーカ８から出力する。
【０１０５】
このような動作よれば、演奏者は、既述の実施の形態と同様にして、グリッサンドモードの動作に比較して、第１音階または第２音階を構成する複数の音高の楽音だけを容易に出力させることができる。このような動作では、さらに、表示装置１８に点灯表示される音高は、音階切替スイッチ１５が押下されていないときに、押圧力検出装置１４の押下に応答して出力される楽音の音高を示し、表示装置１８に点滅表示される音高は、音階切替スイッチ１５が押下されているときに、押圧力検出装置１４の押下に応答して出力される楽音の音高を示している。このとき、演奏者は、音階切替スイッチ１５の状態によりどの音高の楽音が出力されるかを確認することができ、第１音階に含まれないで第２音階に含まれる音高を間違えないように出力させることができる。
【０１０６】
このような動作よれば、演奏者は、所望の楽曲に頻繁に出現する音高を第１音階に設定し、その楽曲にまれにしか出現しない音高を第２音階に設定する。このような設定によれば、第１音階を出力するときに利用される複数の区間の各々の幅の平均が、第２音階を出力するときに利用される複数の区間の各々の幅の平均より大きいために、演奏者は、第１音階に含まれる音高を出力させるときに誤った音高の楽音を出力させることを防止しつつ、第１音階に含まれないで第２音階に含まれる音高を出力させることができる。このため、演奏者は、本発明による電子楽器を用いて、その所望の楽曲をより容易に演奏することができる。
【０１０７】
なお、第２音階は、第１音階の複数の音高の全部を含まないように、設定されることもできる。このとき、演奏者は、所望の楽曲をより容易に演奏することができるように、第１音階と第２音階とを自由に設定することができ、好ましい。たとえば、演奏者は、第１音階と第２音階とを適切に設定することにより、押圧力検出装置１４を押下したままの状態で所望の楽曲を演奏したときに不要な楽音の出力を（たとえば、西洋音階モードに比較して）より低減させることができ、より容易にその楽曲を演奏することができる。
【０１０８】
なお、表示装置１８の表示面２８に階名を表示させる表示形態は、他の表示形態に置換することもできる。その表示形態としては、２つの音高を並べて表示する形態が例示される。その２つ音高のうちの一方は、音階切替スイッチ１５が押下されていないときに押圧力検出装置１４の押下に応答して出力される楽音の音高を示している。その２つ音高のうちの他方は、音階切替スイッチ１５が押下されているときに、押圧力検出装置１４の押下に応答して出力される楽音の音高を示している。この場合も、既述の実施の形態と同様にして、演奏者は、音階切替スイッチ１５の状態によりどの音高の楽音が出力されるかを確認することができ、西洋音階に含まれないで半音階に含まれる音高を間違えないように出力させることができる。
【図面の簡単な説明】
【０１０９】
【図１】図１は、ユーザの操作による連続量と音高との公知の関係を示すグラフである。
【図２】図２は、本発明による電子楽器の実施の形態を示す断面図である。
【図３】図３は、本発明による電子楽器が備える複数の電気機器の一部を示す平面図である。
【図４】図４は、制御装置を示すブロック図である。
【図５】図５は、表示装置の表示面を示す平面図である。
【図６】図６は、西洋音階モードでの口の開度と音高との関係を示すグラフである。
【図７】図７は、ヨナ抜き音階モードでの口の開度と音高との関係を示すグラフである。
【図８】図８は、西洋音階モードでの口の開度と音高との他の関係を示すグラフである。
【図９】図９は、ヨナ抜き音階モードでの口の開度と音高との他の関係を示すグラフである。
【図１０】図１０は、琉球音階モードでの口の開度と音高との関係を示すグラフである。
【符号の説明】
【０１１０】
１  ：電子楽器
２  ：パペット
３  ：空洞
５  ：口
６  ：手
７  ：口開度検出装置
８  ：スピーカ
１０：制御装置
１１：右前足
１４：押圧力検出装置
１５：音階切替スイッチ
１６：グリッサンドスイッチ
１７：入力装置
１８：表示装置
２１：モード切換部
２２：連続量収集部
２３：表示部
２４：音階切替スイッチ状態収集部
２５：押圧力収集部
２６：発音部
２８：表示面
２９−Ｃ〜２９−Ｂ：音名
【図１】
2010019920.tif 000003
【図２】
2010019920.tif 000004
【図３】
2010019920.tif 000005
【図４】
2010019920.tif 000006
【図５】
2010019920.tif 000007
【図６】
2010019920.tif 000008
【図７】
2010019920.tif 000009
【図８】
2010019920.tif 000010
【図９】
2010019920.tif 000011
【図１０】
2010019920.tif 000012